(57)【特許請求の範囲】
【請求項１】
気象データサーバ及び無線通信ネットワークに接続され、該無線通信ネットワークを監視するネットワーク監視装置であって、該ネットワーク監視装置はプロセッサとメモリとを備え、前記メモリは前記プロセッサが実行するためのプログラムを格納しており、前記メモリは前記プロセッサが前記プログラムを実行する際に一時記憶としても動作するものである前記ネットワーク監視装置において、前記プロセッサにより実行されるネットワーク監視方法であって、
前記気象データサーバの気象予測データから、前記無線通信ネットワークの現状の回線ルートにおける所定時間経過後の予測降雨量を取得する予測降雨量取得ステップと、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測ステップと、
前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークに指示し、前記無線通信ネットワークに前記現状の回線ルートから前記別の回線ルートへの切り替えを行わせる切り替え指示ステップとを含むことを特徴とするネットワーク監視方法。
【請求項２】
気象データサーバ及び無線通信ネットワークに接続され、該無線通信ネットワークを監視するネットワーク監視装置であって、該ネットワーク監視装置はプロセッサとメモリとを備え、前記メモリは前記プロセッサが実行するためのプログラムを格納しており、前記メモリは前記プロセッサが前記プログラムを実行する際に一時記憶としても動作するものである前記ネットワーク監視装置において、前記プロセッサにより実行されるネットワーク監視方法であって、
前記気象データサーバの気象予測データから、前記無線通信ネットワークの現状の回線ルートにおける所定時間経過後の予測降雨量を取得する予測降雨量取得ステップと、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測ステップと、
前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークに指示し、前記無線通信ネットワークに前記現状の回線ルートから前記別の回線ルートへの切り替えを行わせる切り替え指示ステップとを含む前記ネットワーク監視方法であって、
地図上に前記無線通信ネットワークの複数の無線局及び現状の回線ルートがマッピングされたネットワーク図を前記メモリに記憶させておくテップをも含み、
前記予測降雨量取得ステップは、
前記気象データサーバにアクセスし、地図上に各地の所定時間経過後の予測降雨量がマッピングされた気象予測データを取得するステップと、
前記気象予測データを、前記メモリに記憶されている前記ネットワーク図にマッピングし、前記気象予測データが更にマッピングされた前記ネットワーク図を前記メモリに記憶させるステップと、
前記メモリに記憶されている、前記気象予測データが更にマッピングされた前記ネットワーク図から、前記無線通信ネットワークの現状の回線ルートにおける所定時間経過後の予測降雨量を取得するステップとを有することを特徴とするネットワーク監視方法。
【請求項３】
請求項２に記載のネットワーク監視方法において、
前記回線エラーが発生してしまう時の最低降雨量を前記メモリに記憶させておくステップをも含み、
前記予測ステップは、
前記現状の回線ルートにおける所定時間経過後の前記予測降雨量が、前記現状の回線ルートの少なくとも一箇所において、前記メモリに記憶されている最低降雨量以上である時に、前記現状の回線ルートに回線エラーが発生すると予測するステップであることを特徴とするネットワーク監視方法。
【請求項４】
請求項３に記載のネットワーク監視方法において、
前記予測ステップは、
前記現状の回線ルートにおける所定時間経過後の前記予測降雨量が、前記現状の回線ルートのいずれの箇所においても、前記メモリに記憶されている最低降雨量未満である時に、前記現状の回線ルートに回線エラーが発生しないと予測するステップであることを特徴とするネットワーク監視方法。
【請求項５】
請求項４に記載のネットワーク監視方法において、
前記現状の回線ルートに回線エラーが発生しないと予測された場合、前記現状の回線ルートから前記別の回線ルートへの切り替えを前記無線通信ネットワークに指示せずに、前記現状の回線ルートを維持するステップをも含むことを特徴とするネットワーク監視方法。
【請求項６】
請求項３に記載のネットワーク監視方法において、
前記切り替え指示ステップは、前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークの前記複数の無線局に指示し、前記無線通信ネットワークの前記複数の無線局に前記現状の回線ルートから前記別の回線ルートへの切り替えを行わせるステップであることを特徴とするネットワーク監視方法。
【請求項７】
気象データサーバ及び無線通信ネットワークに接続され、該無線通信ネットワークを監視するネットワーク監視装置であって、該ネットワーク監視装置はプロセッサとメモリとを備え、前記メモリは前記プロセッサが所定の処理を実行するためのプログラムを格納しており、前記メモリは前記プロセッサが前記プログラムを実行する際に一時記憶としても動作するものである前記ネットワーク監視装置において、
前記プロセッサは、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークに指示し、前記無線通信ネットワークに前記現状の回線ルートから前記別の回線ルートへの切り替えを行わせる切り替え指示処理とを実行するものであることを特徴とするネットワーク監視装置。
【請求項８】
気象データサーバ及び無線通信ネットワークに接続され、該無線通信ネットワークを監視するネットワーク監視装置であって、該ネットワーク監視装置はプロセッサとメモリとを備え、前記メモリは前記プロセッサが所定の処理を実行するためのプログラムを格納しており、前記メモリは前記プロセッサが前記プログラムを実行する際に一時記憶としても動作するものである前記ネットワーク監視装置において、
前記プロセッサは、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークに指示し、前記無線通信ネットワークに前記現状の回線ルートから前記別の回線ルートへの切り替えを行わせる切り替え指示処理とを実行するものであり、
前記プロセッサは、前記所定の処理として、
地図上に前記無線通信ネットワークの複数の無線局及び現状の回線ルートがマッピングされたネットワーク図を前記メモリに記憶させておく処理をも実行するものであり、
前記予測降雨量取得処理は、
前記気象データサーバにアクセスし、地図上に各地の所定時間経過後の予測降雨量がマッピングされた気象予測データを取得する処理と、
前記気象予測データを、前記メモリに記憶されている前記ネットワーク図にマッピングし、前記気象予測データが更にマッピングされた前記ネットワーク図を前記メモリに記憶させる処理と、
前記メモリに記憶されている、前記気象予測データが更にマッピングされた前記ネットワーク図から、前記無線通信ネットワークの現状の回線ルートにおける所定時間経過後の予測降雨量を取得する処理とを有することを特徴とするネットワーク監視装置。
【請求項９】
請求項８に記載のネットワーク監視装置において、
前記プロセッサは、前記所定の処理として、
前記回線エラーが発生してしまう時の最低降雨量を前記メモリに記憶させておく処理をも実行するものであり、
前記予測処理は、
前記現状の回線ルートにおける所定時間経過後の前記予測降雨量が、前記現状の回線ルートの少なくとも一箇所において、前記メモリに記憶されている最低降雨量以上である時に、前記現状の回線ルートに回線エラーが発生すると予測する処理であることを特徴とするネットワーク監視装置。
【請求項１０】
請求項９に記載のネットワーク監視装置において、
前記予測処理は、
前記現状の回線ルートにおける所定時間経過後の前記予測降雨量が、前記現状の回線ルートのいずれの箇所においても、前記メモリに記憶されている最低降雨量未満である時に、前記現状の回線ルートに回線エラーが発生しないと予測する処理であることを特徴とするネットワーク監視装置。
【請求項１１】
請求項１０に記載のネットワーク監視装置において、
前記プロセッサは、前記所定の処理として、
前記現状の回線ルートに回線エラーが発生しないと予測された場合、前記現状の回線ルートから前記別の回線ルートへの切り替えを前記無線通信ネットワークに指示せずに、前記現状の回線ルートを維持する処理をも実行するものであることを特徴とするネットワーク監視装置。
【請求項１２】
請求項９に記載のネットワーク監視装置において、
前記切り替え指示処理は、前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークの前記複数の無線局に指示し、前記無線通信ネットワークの前記複数の無線局に前記現状の回線ルートから前記別の回線ルートへの切り替えを行わせる処理であることを特徴とするネットワーク監視装置。
【請求項１３】
気象データサーバと、無線通信ネットワークと、前記気象データサーバ及び前記無線通信ネットワークに接続され、該無線通信ネットワークを監視するネットワーク監視装置とを有する回線エラー防止システムにおいて、
前記ネットワーク監視装置はプロセッサとメモリとを備え、前記メモリは前記プロセッサが所定の処理を実行するためのプログラムを格納しており、前記メモリは前記プロセッサが前記プログラムを実行する際に一時記憶としても動作するものであり、
前記プロセッサは、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークに指示し、前記無線通信ネットワークに前記現状の回線ルートから前記別の回線ルートへの切り替えを行わせる切り替え指示処理とを実行するものであることを特徴とする回線エラー防止システム。
【請求項１４】
気象データサーバと、無線通信ネットワークと、前記気象データサーバ及び前記無線通信ネットワークに接続され、該無線通信ネットワークを監視するネットワーク監視装置とを有する回線エラー防止システムにおいて、
前記ネットワーク監視装置はプロセッサとメモリとを備え、前記メモリは前記プロセッサが所定の処理を実行するためのプログラムを格納しており、前記メモリは前記プロセッサが前記プログラムを実行する際に一時記憶としても動作するものであり、
前記プロセッサは、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークに指示し、前記無線通信ネットワークに前記現状の回線ルートから前記別の回線ルートへの切り替えを行わせる切り替え指示処理とを実行するものであり、
前記プロセッサは、前記所定の処理として、
地図上に前記無線通信ネットワークの複数の無線局及び現状の回線ルートがマッピングされたネットワーク図を前記メモリに記憶させておく処理をも実行するものであり、
前記予測降雨量取得処理は、
前記気象データサーバにアクセスし、地図上に各地の所定時間経過後の予測降雨量がマッピングされた気象予測データを取得する処理と、
前記気象予測データを、前記メモリに記憶されている前記ネットワーク図にマッピングし、前記気象予測データが更にマッピングされた前記ネットワーク図を前記メモリに記憶させる処理と、
前記メモリに記憶されている、前記気象予測データが更にマッピングされた前記ネットワーク図から、前記無線通信ネットワークの現状の回線ルートにおける所定時間経過後の予測降雨量を取得する処理とを有することを特徴とする回線エラー防止システム。
【請求項１５】
請求項１４に記載の回線エラー防止システムにおいて、
前記プロセッサは、前記所定の処理として、
前記回線エラーが発生してしまう時の最低降雨量を前記メモリに記憶させておく処理をも実行するものであり、
前記予測処理は、
前記現状の回線ルートにおける所定時間経過後の前記予測降雨量が、前記現状の回線ルートの少なくとも一箇所において、前記メモリに記憶されている最低降雨量以上である時に、前記現状の回線ルートに回線エラーが発生すると予測する処理であることを特徴とする回線エラー防止システム。
【請求項１６】
請求項１５に記載の回線エラー防止システムにおいて、
前記予測処理は、
前記現状の回線ルートにおける所定時間経過後の前記予測降雨量が、前記現状の回線ルートのいずれの箇所においても、前記メモリに記憶されている最低降雨量未満である時に、前記現状の回線ルートに回線エラーが発生しないと予測する処理であることを特徴とする回線エラー防止システム。
【請求項１７】
請求項１６に記載の回線エラー防止システムにおいて、
前記プロセッサは、前記所定の処理として、
前記現状の回線ルートに回線エラーが発生しないと予測された場合、前記現状の回線ルートから前記別の回線ルートへの切り替えを前記無線通信ネットワークに指示せずに、前記現状の回線ルートを維持する処理をも実行するものであることを特徴とする回線エラー防止システム。
【請求項１８】
請求項１５に記載の回線エラー防止システムにおいて、
前記切り替え指示処理は、前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークの前記複数の無線局に指示し、前記無線通信ネットワークの前記複数の無線局に前記現状の回線ルートから前記別の回線ルートへの切り替えを行わせる処理であることを特徴とする回線エラー防止システム。
【請求項１９】
気象データサーバ及び無線通信ネットワークに接続され、該無線通信ネットワークを監視するネットワーク監視装置であって、該ネットワーク監視装置はプロセッサとメモリとを備え、前記メモリは前記プロセッサに所定の処理を実行させるためのプログラムを格納しており、前記メモリは前記プロセッサが前記プログラムを実行する際に一時記憶としても動作するものである前記ネットワーク監視装置における前記プログラムにおいて、
前記プログラムは、前記プロセッサに、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークに指示し、前記無線通信ネットワークに前記現状の回線ルートから前記別の回線ルートへの切り替えを行わせる切り替え指示処理とを実行させるものであることを特徴とするネットワーク監視装置用プログラム。
【請求項２０】
気象データサーバ及び無線通信ネットワークに接続され、該無線通信ネットワークを監視するネットワーク監視装置であって、該ネットワーク監視装置はプロセッサとメモリとを備え、前記メモリは前記プロセッサに所定の処理を実行させるためのプログラムを格納しており、前記メモリは前記プロセッサが前記プログラムを実行する際に一時記憶としても動作するものである前記ネットワーク監視装置における前記プログラムにおいて、
前記プログラムは、前記プロセッサに、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークに指示し、前記無線通信ネットワークに前記現状の回線ルートから前記別の回線ルートへの切り替えを行わせる切り替え指示処理とを実行させるものであり、
前記プログラムは、前記プロセッサに、前記所定の処理として、
地図上に前記無線通信ネットワークの複数の無線局及び現状の回線ルートがマッピングされたネットワーク図を前記メモリに記憶させておく処理をも実行させるものであり、
前記予測降雨量取得処理は、
前記気象データサーバにアクセスし、地図上に各地の所定時間経過後の予測降雨量がマッピングされた気象予測データを取得する処理と、
前記気象予測データを、前記メモリに記憶されている前記ネットワーク図にマッピングし、前記気象予測データが更にマッピングされた前記ネットワーク図を前記メモリに記憶させる処理と、
前記メモリに記憶されている、前記気象予測データが更にマッピングされた前記ネットワーク図から、前記無線通信ネットワークの現状の回線ルートにおける所定時間経過後の予測降雨量を取得する処理とを有することを特徴とするネットワーク監視装置用プログラム。
【請求項２１】
請求項２０に記載のネットワーク監視装置用プログラムにおいて、
前記プログラムは、前記プロセッサに、前記所定の処理として、
前記回線エラーが発生してしまう時の最低降雨量を前記メモリに記憶させておく処理をも実行させるものであり、
前記予測処理は、
前記現状の回線ルートにおける所定時間経過後の前記予測降雨量が、前記現状の回線ルートの少なくとも一箇所において、前記メモリに記憶されている最低降雨量以上である時に、前記現状の回線ルートに回線エラーが発生すると予測する処理であることを特徴とするネットワーク監視装置用プログラム。
【請求項２２】
請求項２１に記載のネットワーク監視装置用プログラムにおいて、
前記予測処理は、
前記現状の回線ルートにおける所定時間経過後の前記予測降雨量が、前記現状の回線ルートのいずれの箇所においても、前記メモリに記憶されている最低降雨量未満である時に、前記現状の回線ルートに回線エラーが発生しないと予測する処理であることを特徴とするネットワーク監視装置用プログラム。
【請求項２３】
請求項２２に記載のネットワーク監視装置用プログラムにおいて、
前記プログラムは、前記プロセッサに、前記所定の処理として、
前記現状の回線ルートに回線エラーが発生しないと予測された場合、前記現状の回線ルートから前記別の回線ルートへの切り替えを前記無線通信ネットワークに指示せずに、前記現状の回線ルートを維持する処理をも実行させるものであることを特徴とするネットワーク監視装置用プログラム。
【請求項２４】
請求項２１に記載のネットワーク監視装置用プログラムにおいて、
前記切り替え指示処理は、前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークの前記複数の無線局に指示し、前記無線通信ネットワークの前記複数の無線局に前記現状の回線ルートから前記別の回線ルートへの切り替えを行わせる処理であることを特徴とするネットワーク監視装置用プログラム。
【請求項２５】
気象データサーバ及び無線通信装置に接続され、該無線通信ネットワークを監視するネットワーク監視装置であって、該ネットワーク監視装置はプロセッサとメモリとを備え、前記メモリは前記プロセッサが実行するためのプログラムを格納しており、前記メモリは前記プロセッサが前記プログラムを実行する際に一時記憶としても動作するものである前記ネットワーク監視装置において、前記プロセッサにより実行されるネットワーク監視方法であって、
前記気象データサーバの気象予測データから、前記無線通信ネットワークの現状の回線ルートにおける所定時間経過後の予測降雨量を取得する予測降雨量取得ステップと、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測ステップと、
前記現状の回線ルートに前記回線エラーが発生すると予測された場合、前記所定時間が経過する前に、前記現状の回線ルートを構成する複数の無線局の無線通信の変調方式として、現状の変調方式から、前記予測降雨量と同等の降雨量の降雨でも回線エラーを伴うことのない別変調方式への切り替えを前記現状の回線ルートを構成する前記複数の無線局に指示し、前記現状の回線ルートを構成する前記複数の無線局に、前記現状の変調方式から前記別変調方式への切り替えを行わせる切り替え指示ステップとを含むことを特徴とするネットワーク監視方法。
【請求項２６】
気象データサーバ及び無線通信装置に接続され、該無線通信ネットワークを監視するネットワーク監視装置であって、該ネットワーク監視装置はプロセッサとメモリとを備え、前記メモリは前記プロセッサが実行するためのプログラムを格納しており、前記メモリは前記プロセッサが前記プログラムを実行する際に一時記憶としても動作するものである前記ネットワーク監視装置において、前記プロセッサにより実行されるネットワーク監視方法であって、
前記気象データサーバの気象予測データから、前記無線通信ネットワークの現状の回線ルートにおける所定時間経過後の予測降雨量を取得する予測降雨量取得ステップと、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測ステップと、
前記現状の回線ルートに前記回線エラーが発生すると予測された場合、前記所定時間が経過する前に、前記現状の回線ルートを構成する複数の無線局の無線通信の変調方式として、現状の変調方式から、前記予測降雨量と同等の降雨量の降雨でも回線エラーを伴うことのない別変調方式への切り替えを前記現状の回線ルートを構成する前記複数の無線局に指示し、前記現状の回線ルートを構成する前記複数の無線局に、前記現状の変調方式から前記別変調方式への切り替えを行わせる切り替え指示ステップとを含む前記ネットワーク監視方法であって、
地図上に前記無線通信ネットワークの複数の無線局及び現状の回線ルートがマッピングされたネットワーク図を前記メモリに記憶させておくステップをも含み、
前記予測降雨量取得ステップは、
前記気象データサーバにアクセスし、地図上に各地の所定時間経過後の予測降雨量がマッピングされた気象予測データを取得するステップと、
前記気象予測データを、前記メモリに記憶されている前記ネットワーク図にマッピングし、前記気象予測データが更にマッピングされた前記ネットワーク図を前記メモリに記憶させるステップと、
前記メモリに記憶されている、前記気象予測データが更にマッピングされた前記ネットワーク図から、前記無線通信ネットワークの現状の回線ルートにおける所定時間経過後の予測降雨量を取得するステップとを有することを特徴とするネットワーク監視方法。
【請求項２７】
請求項２６に記載のネットワーク監視方法において、
前記回線エラーが発生してしまう時の最低降雨量を前記メモリに記憶させておくステップをも含み、
前記予測ステップは、
前記現状の回線ルートにおける所定時間経過後の前記予測降雨量が、前記現状の回線ルートの少なくとも一箇所において、前記メモリに記憶されている最低降雨量以上である時に、前記現状の回線ルートに回線エラーが発生すると予測するステップであることを特徴とするネットワーク監視方法。
【請求項２８】
請求項２７に記載のネットワーク監視方法において、
前記予測ステップは、
前記現状の回線ルートにおける所定時間経過後の前記予測降雨量が、前記現状の回線ルートのいずれの箇所においても、前記メモリに記憶されている最低降雨量未満である時に、前記現状の回線ルートに回線エラーが発生しないと予測するステップであることを特徴とするネットワーク監視方法。
【請求項２９】
請求項２８に記載のネットワーク監視方法において、
前記現状の回線ルートに回線エラーが発生しないと予測された場合、前記現状の回線ルートを構成する前記複数の無線局に前記無線通信の変調方式の切り替えを指示せずに、前記現状の回線ルートを構成する前記複数の無線局の前記無線通信の変調方式として、前記現状の変調方式を維持するステップをも含むことを特徴とするネットワーク監視方法。
【請求項３０】
気象データサーバ及び無線通信装置に接続され、該無線通信ネットワークを監視するネットワーク監視装置であって、該ネットワーク監視装置はプロセッサとメモリとを備え、前記メモリは前記プロセッサが所定の処理を実行するためのプログラムを格納しており、前記メモリは前記プロセッサが前記プログラムを実行する際に一時記憶としても動作するものである前記ネットワーク監視装置において、
前記プロセッサは、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートを構成する複数の無線局の無線通信の変調方式として、現状の変調方式から、前記予測降雨量と同等の降雨量の降雨でも回線エラーを伴うことのない別変調方式への切り替えを前記現状の回線ルートを構成する前記複数の無線局に指示し、前記現状の回線ルートを構成する前記複数の無線局に、前記現状の変調方式から前記別変調方式への切り替えを行わせる切り替え指示処理とを実行するものであることを特徴とするネットワーク監視装置。
【請求項３１】
気象データサーバ及び無線通信装置に接続され、該無線通信ネットワークを監視するネットワーク監視装置であって、該ネットワーク監視装置はプロセッサとメモリとを備え、前記メモリは前記プロセッサが所定の処理を実行するためのプログラムを格納しており、前記メモリは前記プロセッサが前記プログラムを実行する際に一時記憶としても動作するものである前記ネットワーク監視装置において、
前記プロセッサは、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートを構成する複数の無線局の無線通信の変調方式として、現状の変調方式から、前記予測降雨量と同等の降雨量の降雨でも回線エラーを伴うことのない別変調方式への切り替えを前記現状の回線ルートを構成する前記複数の無線局に指示し、前記現状の回線ルートを構成する前記複数の無線局に、前記現状の変調方式から前記別変調方式への切り替えを行わせる切り替え指示処理とを実行するものであり、
前記プロセッサは、前記所定の処理として、
地図上に前記無線通信ネットワークの複数の無線局及び現状の回線ルートがマッピングされたネットワーク図を前記メモリに記憶させておく処理をも実行するものであり、
前記予測降雨量取得処理は、
前記気象データサーバにアクセスし、地図上に各地の所定時間経過後の予測降雨量がマッピングされた気象予測データを取得する処理と、
前記気象予測データを、前記メモリに記憶されている前記ネットワーク図にマッピングし、前記気象予測データが更にマッピングされた前記ネットワーク図を前記メモリに記憶させる処理と、
前記メモリに記憶されている、前記気象予測データが更にマッピングされた前記ネットワーク図から、前記無線通信ネットワークの現状の回線ルートにおける所定時間経過後の予測降雨量を取得する処理とを有することを特徴とするネットワーク監視装置。
【請求項３２】
請求項３１に記載のネットワーク監視装置において、
前記プロセッサは、前記所定の処理として、
前記回線エラーが発生してしまう時の最低降雨量を前記メモリに記憶させておく処理をも実行するものであり、
前記予測処理は、
前記現状の回線ルートにおける所定時間経過後の前記予測降雨量が、前記現状の回線ルートの少なくとも一箇所において、前記メモリに記憶されている最低降雨量以上である時に、前記現状の回線ルートに回線エラーが発生すると予測する処理であることを特徴とするネットワーク監視装置。
【請求項３３】
請求項３２に記載のネットワーク監視装置において、
前記予測処理は、
前記現状の回線ルートにおける所定時間経過後の前記予測降雨量が、前記現状の回線ルートのいずれの箇所においても、前記メモリに記憶されている最低降雨量未満である時に、前記現状の回線ルートに回線エラーが発生しないと予測する処理であることを特徴とするネットワーク監視装置。
【請求項３４】
請求項３３に記載のネットワーク監視装置において、
前記プロセッサは、前記所定の処理として、
前記現状の回線ルートに回線エラーが発生しないと予測された場合、前記現状の回線ルートを構成する前記複数の無線局に前記無線通信の変調方式の切り替えを指示せずに、前記現状の回線ルートを構成する前記複数の無線局の前記無線通信の変調方式として、前記現状の変調方式を維持する処理をも実行するものであることを特徴とするネットワーク監視装置。
【請求項３５】
気象データサーバと、無線通信ネットワークと、前記気象データサーバ及び前記無線通信ネットワークに接続され、該無線通信ネットワークを監視するネットワーク監視装置とを有する回線エラー防止システムにおいて、
前記ネットワーク監視装置はプロセッサとメモリとを備え、前記メモリは前記プロセッサが所定の処理を実行するためのプログラムを格納しており、前記メモリは前記プロセッサが前記プログラムを実行する際に一時記憶としても動作するものであり、
前記プロセッサは、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートを構成する複数の無線局の無線通信の変調方式として、現状の変調方式から、前記予測降雨量と同等の降雨量の降雨でも回線エラーを伴うことのない別変調方式への切り替えを前記現状の回線ルートを構成する前記複数の無線局に指示し、前記現状の回線ルートを構成する前記複数の無線局に、前記現状の変調方式から前記別変調方式への切り替えを行わせる切り替え指示処理とを実行するものであることを特徴とする回線エラー防止システム。
【請求項３６】
気象データサーバと、無線通信ネットワークと、前記気象データサーバ及び前記無線通信ネットワークに接続され、該無線通信ネットワークを監視するネットワーク監視装置とを有する回線エラー防止システムにおいて、
前記ネットワーク監視装置はプロセッサとメモリとを備え、前記メモリは前記プロセッサが所定の処理を実行するためのプログラムを格納しており、前記メモリは前記プロセッサが前記プログラムを実行する際に一時記憶としても動作するものであり、
前記プロセッサは、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートを構成する複数の無線局の無線通信の変調方式として、現状の変調方式から、前記予測降雨量と同等の降雨量の降雨でも回線エラーを伴うことのない別変調方式への切り替えを前記現状の回線ルートを構成する前記複数の無線局に指示し、前記現状の回線ルートを構成する前記複数の無線局に、前記現状の変調方式から前記別変調方式への切り替えを行わせる切り替え指示処理とを実行するものであり、
前記プロセッサは、前記所定の処理として、
地図上に前記無線通信ネットワークの複数の無線局及び現状の回線ルートがマッピングされたネットワーク図を前記メモリに記憶させておく処理をも実行するものであり、
前記予測降雨量取得処理は、
前記気象データサーバにアクセスし、地図上に各地の所定時間経過後の予測降雨量がマッピングされた気象予測データを取得する処理と、
前記気象予測データを、前記メモリに記憶されている前記ネットワーク図にマッピングし、前記気象予測データが更にマッピングされた前記ネットワーク図を前記メモリに記憶させる処理と、
前記メモリに記憶されている、前記気象予測データが更にマッピングされた前記ネットワーク図から、前記無線通信ネットワークの現状の回線ルートにおける所定時間経過後の予測降雨量を取得する処理とを有することを特徴とする回線エラー防止システム。
【請求項３７】
請求項３６に記載の回線エラー防止システムにおいて、
前記プロセッサは、前記所定の処理として、
前記回線エラーが発生してしまう時の最低降雨量を前記メモリに記憶させておく処理をも実行するものであり、
前記予測処理は、
前記現状の回線ルートにおける所定時間経過後の前記予測降雨量が、前記現状の回線ルートの少なくとも一箇所において、前記メモリに記憶されている最低降雨量以上である時に、前記現状の回線ルートに回線エラーが発生すると予測する処理であることを特徴とする回線エラー防止システム。
【請求項３８】
請求項３７に記載の回線エラー防止システムにおいて、
前記予測処理は、
前記現状の回線ルートにおける所定時間経過後の前記予測降雨量が、前記現状の回線ルートのいずれの箇所においても、前記メモリに記憶されている最低降雨量未満である時に、前記現状の回線ルートに回線エラーが発生しないと予測する処理であることを特徴とする回線エラー防止システム。
【請求項３９】
請求項３８に記載の回線エラー防止システムにおいて、
前記プロセッサは、前記所定の処理として、
前記現状の回線ルートに回線エラーが発生しないと予測された場合、前記現状の回線ルートを構成する前記複数の無線局に前記無線通信の変調方式の切り替えを指示せずに、前記現状の回線ルートをする前記複数の無線局の前記無線通信の変調方式として、前記現状の変調方式を維持する処理をも実行するものであることを特徴とする回線エラー防止システム。
【請求項４０】
気象データサーバ及び無線通信ネットワークに接続され、該無線通信ネットワークを監視するネットワーク監視装置であって、該ネットワーク監視装置はプロセッサとメモリとを備え、前記メモリは前記プロセッサに所定の処理を実行させるためのプログラムを格納しており、前記メモリは前記プロセッサが前記プログラムを実行する際に一時記憶としても動作するものである前記ネットワーク監視装置における前記プログラムにおいて、
前記プログラムは、前記プロセッサに、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートを構成する複数の無線局の無線通信の変調方式として、現状の変調方式から、前記予測降雨量と同等の降雨量の降雨でも回線エラーを伴うことのない別変調方式への切り替えを前記現状の回線ルートを構成する前記複数の無線局に指示し、前記現状の回線ルートを構成する前記複数の無線局に、前記現状の変調方式から前記別変調方式への切り替えを行わせる切り替え指示処理とを実行させるものであることを特徴とするネットワーク監視装置用プログラム。
【請求項４１】
気象データサーバ及び無線通信ネットワークに接続され、該無線通信ネットワークを監視するネットワーク監視装置であって、該ネットワーク監視装置はプロセッサとメモリとを備え、前記メモリは前記プロセッサに所定の処理を実行させるためのプログラムを格納しており、前記メモリは前記プロセッサが前記プログラムを実行する際に一時記憶としても動作するものである前記ネットワーク監視装置における前記プログラムにおいて、
前記プログラムは、前記プロセッサに、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートを構成する複数の無線局の無線通信の変調方式として、現状の変調方式から、前記予測降雨量と同等の降雨量の降雨でも回線エラーを伴うことのない別変調方式への切り替えを前記現状の回線ルートを構成する前記複数の無線局に指示し、前記現状の回線ルートを構成する前記複数の無線局に、前記現状の変調方式から前記別変調方式への切り替えを行わせる切り替え指示処理とを実行させるものであり、
前記プログラムは、前記プロセッサに、前記所定の処理として、
地図上に前記無線通信ネットワークの複数の無線局及び現状の回線ルートがマッピングされたネットワーク図を前記メモリに記憶させておく処理をも実行させるものであり、
前記予測降雨量取得処理は、
前記気象データサーバにアクセスし、地図上に各地の所定時間経過後の予測降雨量がマッピングされた気象予測データを取得する処理と、
前記気象予測データを、前記メモリに記憶されている前記ネットワーク図にマッピングし、前記気象予測データが更にマッピングされた前記ネットワーク図を前記メモリに記憶させる処理と、
前記メモリに記憶されている、前記気象予測データが更にマッピングされた前記ネットワーク図から、前記無線通信ネットワークの現状の回線ルートにおける所定時間経過後の予測降雨量を取得する処理とを有することを特徴とするネットワーク監視装置用プログラム。
【請求項４２】
請求項４１に記載のネットワーク監視装置用プログラムにおいて、
前記プログラムは、前記プロセッサに、前記所定の処理として、
前記回線エラーが発生してしまう時の最低降雨量を前記メモリに記憶させておく処理をも実行させるものであり、
前記予測処理は、
前記現状の回線ルートにおける所定時間経過後の前記予測降雨量が、前記現状の回線ルートの少なくとも一箇所において、前記メモリに記憶されている最低降雨量以上である時に、前記現状の回線ルートに回線エラーが発生すると予測する処理であることを特徴とするネットワーク監視装置用プログラム。
【請求項４３】
請求項４２に記載のネットワーク監視装置用プログラムにおいて、
前記予測処理は、
前記現状の回線ルートにおける所定時間経過後の前記予測降雨量が、前記現状の回線ルートのいずれの箇所においても、前記メモリに記憶されている最低降雨量未満である時に、前記現状の回線ルートに回線エラーが発生しないと予測する処理であることを特徴とするネットワーク監視装置用プログラム。
【請求項４４】
請求項４３に記載のネットワーク監視装置用プログラムにおいて、
前記プログラムは、前記プロセッサに、前記所定の処理として、
前記現状の回線ルートに回線エラーが発生しないと予測された場合、前記現状の回線ルートを構成する前記複数の無線局に前記無線通信の変調方式の切り替えを指示せずに、前記現状の回線ルートを構成する前記複数の無線局の前記無線通信の変調方式として、前記現状の変調方式を維持する処理をも実行させるものであることを特徴とするネットワーク監視装置用プログラム。
【発明の詳細な説明】
【技術分野】
【０００１】
本発明は、無線通信ネットワークを監視するためのネットワーク監視方法及びネットワーク監視装置に関する。本発明は、また、気象データサーバと無線通信ネットワークとネットワーク監視装置とを有する回線エラー防止システムに関する。本発明は、更に、ネットワーク監視装置用のプログラムに関する。
【背景技術】
【０００２】
携帯通信事業においては、携帯電話の普及とサービスの多様化に伴いトラフィック量が急激に増加していることを背景に、携帯基地局（セル数）の増加とセル間距離を短縮したネットワークが構築されている。携帯基地局間を結ぶマイクロ波無線通信ネットワークにおいては、伝送距離が短いリンクにおいて有用で、かつ周波数チャンネル数が多いという理由で、１０ＧＨｚ以上の高域周波数帯が主に使用されている。
【０００３】
一般に、マイクロ波無線通信ネットワークにおいて、フェージングや反射による回線品質の劣化(回線エラーの発生)に対しては、周波数ダイバーシティや空間ダイバーシティという構成をとることにより改善される。しかしながら、携帯基地局間の通信のように１０ＧＨｚ以上の高域周波数帯を使用している場合には、回線品質の劣化はフェージングや反射による影響よりも降雨による影響の方が大きい。降雨による回線品質の劣化(回線エラーの発生)は、周波数ダイバーシティや空間ダイバーシティなどに代表される従来の通信方式やシステム構成を駆使したとしても、避けることができず、降雨量が多い場合には回線断になるという問題がある。
【０００４】
なお、この明細書では、回線エラーとは、回線瞬断や回線断等の回線に生じるエラーの総称であると定義する。
【０００５】
このように、降雨量の多い場合には回線エラーや回線断になってしまうという状況は、回線品質を維持し高付加なサービスを提供するという点において極めて深刻である。
【０００６】
特許文献１は、図３及び図５に、実際の水蒸気の塊／雨雲の検出を行うことができる無線基地局を開示している。この際、無線基地局において、実際の水蒸気の塊／雨雲が存在すれば、ＧＰＳ（Ｇｌｏｂａｌ  Ｐｏｓｉｔｉｏｎｉｎｇ  Ｓｙｓｔｅｍ）衛星からの航法信号の受信に遅延が生じてしまうことを利用している。更に、特許文献１は、図３では、無線基地局は、実際の水蒸気の塊／雨雲をＧＰＳ衛星からの航法信号の受信の遅延により検出すると、送信電力／誤り訂正能力を予め自動調整し、雨による無線リンクダウンを防ぐことを開示している。また、特許文献１は、図５では、実際の水蒸気の塊／雨雲をＧＰＳ衛星からの航法信号の受信の遅延により検出した無線基地局の情報をネットワーク全体で共有することによって、実際に検出した雨により無線リンクダウンが生じる経路とは別の経路に迂回することで、雨による無線リンクダウンを回避することを開示している。
【０００７】
特許文献２は、図１に、衛星通信局において、実際の降雨等による伝送減衰の検出を、受信レベルの減衰量が一定以上の量となったことを検出することにより行うことを開示している。更に、特許文献２は、図１では、衛星通信局において、実際の降雨等による伝送減衰を、受信レベルの減衰量が一定以上の量となったことにより検出すると、回線変更要求信号を制御局に送信すること、及び制御局は、回線変更要求信号を受信すると、衛星通信局の送信周波数の変更、送信帯域幅の縮小変更、及び送信レベル増加の変更を行って、通信回線の再割り当てを行うことを開示している。
【０００８】
特許文献３は、図１に、ナビゲーション装置と情報センタ装置とを備え、情報センタ装置が、道路の各地点の走行予測時刻での気象予報を各地域の気象予報から予測する走行気象予測手段を備えているナビゲーションシステムを開示している。道路の走行予測時刻における気象予報(晴れ、曇、雨など)が取得される（特許文献３の［００６２］段落）が、取得された気象予報は、道路の気象予報に該当する平均予測走行時間を求めるために使用されるにすぎない。
【０００９】
特許文献４は、適応変調（Ａｄａｐｔｉｖｅ  Ｍｏｄｕｌａｔｉｏｎ）方式の無線通信システムを開示している。この無線通信システムの送信側伝送装置も降雨検出部を有し、降雨検出部における降雨検出量によって変調方式の切り替えを行っている。この為、降雨を検出する過程において、実際の降雨によって回線品質が劣化してくるので、降雨の程度によっては回線エラーが発生することが考えられる。
【００１０】
【特許文献１】特開２００５−２６８９７７号公報
【特許文献２】特開２００６−２０３７９３号公報
【特許文献３】特開２００７−４７１４８号公報
【特許文献４】特開２００７−３７０２９号公報
【発明の開示】
【発明が解決しようとする課題】
【００１１】
上述したように、特許文献１における無線基地局、特許文献２における衛星通信局、及び特許文献４における送信側伝送装置のように、ネットワークを構成する装置自身が、実際の降雨を検出する部分を持ち、実際に降雨があってから回線品質の劣化を判断するものである。実際に降雨があってからの回線品質の劣化の判断では、一般的な降雨時や大雨、スコールなど、小雨以外のほとんどの場合において、実際に降雨を検知した時点で回線エラーや回線断になっている可能性がある。また、別の経路に切り替える前に、或は変調方式の切り替えを行う前に一時的に回線断になってしまうという問題がある。
【課題を解決するための手段】
【００１２】
本発明の目的は、気象データサーバから取得した所定時間経過後の予測降雨量を元に、所定時間経過後の回線エラーの発生を予測することにより、無線通信ネットワークに、雨が降り出す前に最適な回線ルートへとトラフィックを切り替えさせて、降雨による回線エラーの発生を未然に防ぐことができるネットワーク監視方法、ネットワーク監視装置、回線エラー防止システム、及びネットワーク監視装置用プログラムを提供することにある。
【００１３】
本発明のもう一つの目的は、気象データサーバから取得した所定時間経過後の予測降雨量を元に、所定時間経過後の回線エラーの発生（回線品質の劣化）を予測することにより、無線通信ネットワークに、雨が降り出す前に最適な変調方式に切り替えさせて、降雨による回線エラーの発生を未然に防ぐことができるネットワーク監視方法、ネットワーク監視装置、回線エラー防止システム、及びネットワーク監視装置用プログラムを提供することにある。
【００１４】
本発明の第１の態様によれば、
気象データサーバ及び無線通信ネットワークに接続され、該無線通信ネットワークを監視するネットワーク監視装置であって、該ネットワーク監視装置はプロセッサとメモリとを備え、前記メモリは前記プロセッサが実行するためのプログラムを格納しており、前記メモリは前記プロセッサが前記プログラムを実行する際に一時記憶としても動作するものである前記ネットワーク監視装置において、前記プロセッサにより実行されるネットワーク監視方法であって、
前記気象データサーバの気象予測データから、前記無線通信ネットワークの現状の回線ルートにおける所定時間経過後の予測降雨量を取得する予測降雨量取得ステップと、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測ステップと、
前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークに指示し、前記無線通信ネットワークに前記現状の回線ルートから前記別の回線ルートへの切り替えを行わせる切り替え指示ステップとを含むことを特徴とするネットワーク監視方法が得られる。
【００１５】
本発明の第２の態様によれば、
気象データサーバ及び無線通信ネットワークに接続され、該無線通信ネットワークを監視するネットワーク監視装置であって、該ネットワーク監視装置はプロセッサとメモリとを備え、前記メモリは前記プロセッサが所定の処理を実行するためのプログラムを格納しており、前記メモリは前記プロセッサが前記プログラムを実行する際に一時記憶としても動作するものである前記ネットワーク監視装置において、
前記プロセッサは、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークに指示し、前記無線通信ネットワークに前記現状の回線ルートから前記別の回線ルートへの切り替えを行わせる切り替え指示処理とを実行するものであることを特徴とするネットワーク監視装置が得られる。
【００１６】
本発明の第３の態様によれば、
気象データサーバと、無線通信ネットワークと、前記気象データサーバ及び前記無線通信ネットワークに接続され、該無線通信ネットワークを監視するネットワーク監視装置とを有する回線エラー防止システムにおいて、
前記ネットワーク監視装置はプロセッサとメモリとを備え、前記メモリは前記プロセッサが所定の処理を実行するためのプログラムを格納しており、前記メモリは前記プロセッサが前記プログラムを実行する際に一時記憶としても動作するものであり、
前記プロセッサは、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークに指示し、前記無線通信ネットワークに前記現状の回線ルートから前記別の回線ルートへの切り替えを行わせる切り替え指示処理とを実行するものであることを特徴とする回線エラー防止システムが得られる。
【００１７】
本発明の第４の態様によれば、
気象データサーバ及び無線通信ネットワークに接続され、該無線通信ネットワークを監視するネットワーク監視装置であって、該ネットワーク監視装置はプロセッサとメモリとを備え、前記メモリは前記プロセッサに所定の処理を実行させるためのプログラムを格納しており、前記メモリは前記プロセッサが前記プログラムを実行する際に一時記憶としても動作するものである前記ネットワーク監視装置における前記プログラムにおいて、
前記プログラムは、前記プロセッサに、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートから、降雨による回線エラーの発生がないと予測される別の回線ルートへの切り替えを前記無線通信ネットワークに指示し、前記無線通信ネットワークに前記現状の回線ルートから前記別の回線ルートへの切り替えを行わせる切り替え指示処理とを実行させるものであることを特徴とするネットワーク監視装置用プログラムが得られる。
【００１８】
本発明の第５の態様によれば、
気象データサーバ及び無線通信ネットワークに接続され、該無線通信ネットワークを監視するネットワーク監視装置であって、該ネットワーク監視装置はプロセッサとメモリとを備え、前記メモリは前記プロセッサが実行するためのプログラムを格納しており、前記メモリは前記プロセッサが前記プログラムを実行する際に一時記憶としても動作するものである前記ネットワーク監視装置において、前記プロセッサにより実行されるネットワーク監視方法であって、
前記気象データサーバの気象予測データから、前記無線通信ネットワークの現状の回線ルートにおける所定時間経過後の予測降雨量を取得する予測降雨量取得ステップと、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測ステップと、
前記現状の回線ルートに前記回線エラーが発生すると予測された場合、前記所定時間が経過する前に、前記現状の回線ルートを構成する複数の無線局の無線通新の変調方式として、現状の変調方式から、前記予測降雨量と同等の降雨量の降雨でも回線エラーを伴うことのない別変調方式への切り替えを前記現状の回線ルートを構成する前記複数の無線局に指示し、前記現状の回線ルートを構成する前記複数の無線局に、前記現状の変調方式から前記別変調方式への切り替えを行わせる切り替え指示ステップとを含むことを特徴とするネットワーク監視方法が得られる。
【００１９】
本発明の第６の態様によれば、
気象データサーバ及び無線通信ネットワークに接続され、該無線通信ネットワークを監視するネットワーク監視装置であって、該ネットワーク監視装置はプロセッサとメモリとを備え、前記メモリは前記プロセッサが所定の処理を実行するためのプログラムを格納しており、前記メモリは前記プロセッサが前記プログラムを実行する際に一時記憶としても動作するものである前記ネットワーク監視装置において、
前記プロセッサは、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートを構成する複数の無線局の無線通新の変調方式として、現状の変調方式から、前記予測降雨量と同等の降雨量の降雨でも回線エラーを伴うことのない別変調方式への切り替えを前記現状の回線ルートを構成する前記複数の無線局に指示し、前記現状の回線ルートを構成する前記複数の無線局に、前記現状の変調方式から前記別変調方式への切り替えを行わせる切り替え指示処理とを実行するものであることを特徴とするネットワーク監視装置が得られる。
【００２０】
本発明の第７の態様によれば、
気象データサーバと、無線通信ネットワークと、前記気象データサーバ及び前記無線通信ネットワークに接続され、該無線通信ネットワークを監視するネットワーク監視装置とを有する回線エラー防止システムにおいて、
前記ネットワーク監視装置はプロセッサとメモリとを備え、前記メモリは前記プロセッサが所定の処理を実行するためのプログラムを格納しており、前記メモリは前記プロセッサが前記プログラムを実行する際に一時記憶としても動作するものであり、
前記プロセッサは、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートを構成する複数の無線局の無線通新の変調方式として、現状の変調方式から、前記予測降雨量と同等の降雨量の降雨でも回線エラーを伴うことのない別変調方式への切り替えを前記現状の回線ルートを構成する前記複数の無線局に指示し、前記現状の回線ルートを構成する前記複数の無線局に、前記現状の変調方式から前記別変調方式への切り替えを行わせる切り替え指示処理とを実行するものであることを特徴とする回線エラー防止システムが得られる。
【００２１】
本発明の第８の態様によれば、
気象データサーバ及び無線通信ネットワークに接続され、該無線通信ネットワークを監視するネットワーク監視装置であって、該ネットワーク監視装置はプロセッサとメモリとを備え、前記メモリは前記プロセッサに所定の処理を実行させるためのプログラムを格納しており、前記メモリは前記プロセッサが前記プログラムを実行する際に一時記憶としても動作するものである前記ネットワーク監視装置における前記プログラムにおいて、
前記プログラムは、前記プロセッサに、前記所定の処理として、
前記気象データサーバの気象予測データから、前記無線通信ネットワークの現状の回線ルートにおける所定時間経過後の予測降雨量を取得する予測降雨量取得処理と、
前記現状の回線ルートにおける所定時間経過後の前記予測降雨量と同等の降雨量の降雨が実際に前記現状の回線ルートにあったとして、該降雨によって前記現状の回線ルートに回線エラーが発生するか否かを予測する予測処理と、
前記現状の回線ルートに前記回線エラーが発生すると予測された場合、前記所定時間が経過する前に、前記現状の回線ルートを構成する複数の無線局の無線通新の変調方式として、現状の変調方式から、前記予測降雨量と同等の降雨量の降雨でも回線エラーを伴うことのない別変調方式への切り替えを前記現状の回線ルートを構成する前記複数の無線局に指示し、前記現状の回線ルートを構成する前記複数の無線局に、前記現状の変調方式から前記別変調方式への切り替えを行わせる切り替え指示処理とを実行させるものであることを特徴とするネットワーク監視装置用プログラムが得られる。
【発明の効果】
【００２２】
本発明の第１の態様によるネットワーク監視方法、本発明の第２の態様によるネットワーク監視装置、本発明の第３の態様による回線エラー防止システム、本発明の第４の態様によるネットワーク監視装置用プログラムを用いれば、気象データサーバから取得した所定時間経過後の予測降雨量を元に、所定時間経過後の回線エラーの発生を予測することにより、無線通信ネットワークに、雨が降り出す前に最適な回線ルートへとトラフィックを切り替えさせて、降雨による回線エラーの発生を未然に防ぐことができる。
【００２３】
本発明の第５の態様によるネットワーク監視方法、本発明の第６の態様によるネットワーク監視装置、本発明の第７の態様による回線エラー防止システム、本発明の第８の態様によるネットワーク監視装置用プログラムを用いれば、気象データサーバから取得した所定時間経過後の予測降雨量を元に、所定時間経過後の回線エラーの発生（回線品質の劣化）を予測することにより、無線通信ネットワークに、雨が降り出す前に最適な変調方式に切り替えさせて、降雨による回線エラーの発生を未然に防ぐことができる。
【００２４】
このように本発明は、無線通信ネットワークを構成する無線局自身にて実際の降雨を検出するものではなく、更に、実際に降雨を検出してから回線品質の劣化を判断するものでもなく、「気象データサーバから取得した所定時間経過後の予測降雨量を元に、所定時間経過後の回線エラーの発生を予測する」ことを特徴とする。「気象データサーバから取得した所定時間経過後の予測降雨量を元に、所定時間経過後の回線エラーの発生を予測する」ことは、前記特許文献１、前記特許文献２、前記特許文献３、及び前記特許文献４のいずれにも開示がない。
【発明を実施するための最良の形態】
【００２５】
次に本発明の実施例について図面を参照して説明する。
【００２６】
以下に述べる本発明の一実施例は特許請求の範囲を限定するものではなく、本発明の一例である。
【００２７】
本発明の一実施例においては、マイクロ波無線通信ネットワークを監視するネットワーク監視装置が、気象庁や外部機関から気象予測データ（所定時間（例えば数分間）経過後の気象予測）を取り込み、気象予測データから予測される所定時間経過後の予測降雨量を元に、所定時間経過後の回線エラー（回線瞬断や回線瞬断等の回線に生じるエラーの総称）の発生を予測し、回線エラーの発生が予測された場合、降雨の前にトラフィックをルーティングすることにより、回線エラーを未然に防ぐことができることを特徴としている。
【００２８】
図１を参照すると、本発明の一実施例による回線エラー防止システムは、気象データサーバ１０と、マイクロ波無線通信ネットワーク２０と、ネットワーク監視装置３０とを有する。ネットワーク監視装置３０は、気象データサーバ１０及びマイクロ波無線通信ネットワーク２０にインターネット網４０を介して接続されたコンピュータ端末である。ネットワーク監視装置３０は、マイクロ波無線通信ネットワーク１０を監視するためのものである。
【００２９】
気象データサーバ１０は、気象庁或いは外部機関に設けられたコンピュータ端末である。
【００３０】
図示のマイクロ波無線通信ネットワーク２０は、携帯基地局２１及び２２と、複数のマイクロ波中継局２３と、これら複数の無線局（携帯基地局２１及び２２及び複数のマイクロ波中継局２３）のトラフィック管理を行うオペレーションセンター２４とを有する。ネットワーク監視装置３０は、マイクロ波無線通信ネットワーク２０のオペレーションセンター２４にインターネット網４０を介して接続されている。
【００３１】
図２を参照すると、ネットワーク監視装置３０は、プロセッサ１とメモリ２とを備えたコンピュータ端末である。メモリ２は、プロセッサ１が所定の処理を実行するためのプログラム（ネットワーク監視装置用プログラム）５を格納している。メモリ２は、プロセッサ１がプログラム５を実行する際に一時記憶としても動作するものである。ネットワーク監視装置３０は、更に、キー入力部４と、気象データサーバ１０及びマイクロ波無線通信ネットワーク２０のオペレーションセンター２４とインターネット網４０を介して通信するための通信部３とを備えている。また、ネットワーク監視装置３０は、プロセッサ１により制御される、例えば液晶ディスプレイからなる表示部６も備えている。
【００３２】
プロセッサ１は、メモリ２に格納されたプログラム（ネットワーク監視装置用プログラム）５に従って、以下の処理を前記所定の処理として実行する。
【００３３】
すなわち、図１及び図２に図３をも加えて参照して、プロセッサ１は、地図上にマイクロ波無線通信ネットワーク２０の複数の無線局（２１、２２、２３）及び現状の回線ルートＲｃがマッピングされたネットワーク図（図１の破線２０で囲まれた部分に相当する）を、既成データとしてメモリ２に記憶させておく処理を実行する（図３のＤＡＴＡ１）。
【００３４】
この際、プロセッサ１は、複数の無線局（２１、２２、２３）及び現状の回線ルートＲｃがマッピングされたネットワーク図を表示部６に表示させておいても良い。
【００３５】
プロセッサ１は、回線エラーが発生してしまう時の最低降雨量を、別の既成データとしてメモリ２に記憶させておく処理を実行する（図３のＤＡＴＡ２）。
【００３６】
この状態で、プロセッサ１は、気象データサーバ１０にアクセスし、地図上に各地の所定時間経過後の予測降雨量がマッピングされた気象予測データ１１を取得する処理を実行する（図３のステップ１００及び１０１）。気象データサーバ１０から取得した気象予測データ１１を図４に示す。
【００３７】
図４に示された例では、気象予測データ１１は、地図上に所定時間経過の雨雲の情報が記され、各地点（緯度・経度）での単位時間当たりの所定時間経過の降雨量（ｍｍ／ｈ）に関する情報を持っている。
【００３８】
更に、プロセッサ１は、気象予測データ１１を、メモリ２に記憶されているネットワーク図にマッピングし、気象予測データ１１が更にマッピングされたネットワーク図をメモリ２に記憶させる処理を実行する（図３のステップ１０２）。
【００３９】
この際、プロセッサ１は、気象予測データ１１が更にマッピングされたネットワーク図を表示部６に表示させておいても良い。
【００４０】
ここで、プロセッサ１は、メモリ２に記憶されている、気象予測データ１１が更にマッピングされたネットワーク図から、マイクロ波無線通信ネットワークの現状の回線ルートにおける所定時間経過後の予測降雨量を取得する処理を実行する（図３のステップ１０３）。
【００４１】
このようにして、プロセッサ１は、気象データサーバ１０の気象予測データ１１から、マイクロ波無線通信ネットワーク２０の現状の回線ルートＲｃにおける所定時間経過後の予測降雨量を取得する予測降雨量取得処理を実行する（図３のステップ１００〜１０３）。
【００４２】
続いて、プロセッサ１は、現状の回線ルートＲｃにおける所定時間経過後の予測降雨量と同等の降雨量の降雨が実際に現状の回線ルートＲｃにあったとして、該降雨によって現状の回線ルートＲｃに回線エラーＥＲが発生するか否かを予測する予測処理を実行する（図３のステップ１０４）。
【００４３】
この際、プロセッサ１は、現状の回線ルートＲｃにおける所定時間経過後の予測降雨量が、現状の回線ルートＲｃの少なくとも一箇所において、メモリ２に記憶されている最低降雨量以上である時に、現状の回線ルートＲｃに回線エラーが発生すると予測する。
【００４４】
また、プロセッサ１は、現状の回線ルートＲｃにおける所定時間経過後の予測降雨量が、現状の回線ルートＲｃのいずれの箇所においても、メモリ２に記憶されている最低降雨量未満である時に、現状の回線ルートＲｃに回線エラーが発生しないと予測する。
【００４５】
プロセッサ１は、現状の回線ルートＲｃに回線エラーＥＲが発生すると予測された場合、所定時間が経過する前に、現状の回線ルートＲｃから、降雨による回線エラーの発生がないと予測される別の回線ルートＲｄ（ステップ１０６）への切り替えをマイクロ波無線通信ネットワーク２０の複数の無線局（２１、２２、２３）に指示し（ステップ１０７）、マイクロ波無線通信ネットワーク２０の複数の無線局（２１、２２、２３）に現状の回線ルートＲｃから別の回線ルートＲｄへの切り替えを行わせる（ステップ１０８）切り替え指示処理を実行する。
【００４６】
このように、プロセッサ１は、現状の回線ルートＲｃに回線エラーＥＲが発生すると予測された場合、所定時間が経過する前に、現状の回線ルートＲｃから、降雨による回線エラーの発生がないと予測される別の回線ルートＲｄへの切り替えをマイクロ波無線通信ネットワーク２０に指示し、マイクロ波無線通信ネットワーク２０に現状の回線ルートＲｃから別の回線ルートＲｄへの切り替えを行わせる切り替え指示処理を実行する（ステップ１０６〜１０８）。
【００４７】
プロセッサ１は、現状の回線ルートＲｃに回線エラーが発生しないと予測された場合、現状の回線ルートＲｃから別の回線ルートＲｄへの切り替えをマイクロ波無線通信ネットワーク２０に指示せずに、現状の回線ルートＲｃを維持する処理をも前記所定の処理として実行する（ステップ１０５）。
【００４８】
次に、図１に示した回線エラー防止システムの構成要素について詳細に説明する。
【００４９】
マイクロ波無線通信ネットワーク２０の無線局（２１、２２、２３）のマイクロ波無線通信装置（マイクロ波無線通信機器）は、リング、メッシュなどの構成により複数の経路（ルート）を選択できるようなネットワークを形成している。
【００５０】
また、ネットワーク監視装置３０は、プログラム制御により動作するコンピュータ端末で構成されている。ネットワーク監視装置３０は、各無線局（２１、２２、２３）と複数のルートＲｃ、Ｒｄ、・・・が地図上にマッピングされたネットワーク図と、各無線局に設置されている機器情報と、各ルートの回線設計データとを、予め保有し、各無線局（２１、２２、２３）のマイクロ波無線通信装置のアラーム監視と機能制御を行っている。
【００５１】
本発明を実施するにあたり、ネットワーク監視装置３０は、インターネット網４０を経由し、気象データを保存している気象データサーバ１０にアクセスすることにより、図４のような、地図上にマッピングされた所定時間後の気象予測データ（解析雨量・降水量予測）１１を取り出す。取り出した気象予測データ１１は、図４のように、各地点（緯度・経度）での単位時間当たりの予測降雨量（ｍｍ／ｈ）に関する情報を持っている。
【００５２】
ネットワーク監視装置３０は、取り出された気象予測データ１１を、ネットワーク監視装置３０が持つネットワーク図にマッピングする。ネットワーク監視装置３０は、このようにマッピングされたネットワーク図に基づいて、各無線局（２１、２２、２３）の地点において所定時間経過後にどの位の降雨量（ｍｍ／ｈ）があるか予測する。
【００５３】
ネットワーク監視装置３０は、この事前に予測される降雨量（ｍｍ／ｈ）により回線エラーが起こるかどうかを予測し、降雨により回線エラーが起こると予測される場合には、降雨の影響のない最適なルートＲｄへの切り替えを対象となるリンクの各無線局（２１、２２、２３）のマイクロ波無線通信装置に指示する。
【００５４】
この時、各無線局（２１、２２、２３）のマイクロ波無線通信装置及びその付帯設備はトラフィックの経路切り替えが出来るクロスコネクト機能を有しているものとする。
【００５５】
上記によって、降雨による回線品質の劣化を未然に防ぐことと、マイクロ波無線通信ネットワーク２０を効率的に活用することが可能となる。
【００５６】
次に、図１に示した回線エラー防止システムの動作を図３に示すフローチャートを使用して詳細に説明する。
【００５７】
本発明の実施にあたっては、ネットワーク監視装置３０は、各無線局（２１、２２、２３）と複数のルートＲｃ、Ｒｄ、・・・が地図上にマッピングされたネットワーク図を、保有データとして保有しておく（図３のＤＡＴＡ１）。加えて、ネットワーク監視装置３０は、複数のルートＲｃ、Ｒｄ、・・・の回線設計データ（回線品質を計算したもの）から算出された、回線エラーが発生してしまう時の最低降雨量（Ｂ）（ｍｍ／ｈ）を、別の保有データとして保有しておく（図３のＤＡＴＡ２）。
【００５８】
実際の動作にあたり、ネットワーク監視装置３０は、気象データサーバ１０より、図４のような地図上にマッピングされた所定時間後の気象予測データ（解析雨量・降水量予測）１１を取得する。また気象状況は刻々と変化するので、アップデートされた気象予測データ１１はタイムリーにネットワーク監視装置３０に取り込まれる（図３のステップ１００及び１０１）。
【００５９】
ネットワーク監視装置３０は、保有データとして保有しているネットワーク図に、ステップ１０１で取り込んだ気象予測データを重ね合わせ、地図上にネットワーク図と雨雲の動きがマッピングされたものとしてアウトプットする（図３のステップ１０２）。
【００６０】
ネットワーク監視装置３０は、ステップ１０２で生成されたマップデータから、各無線局位置における所定時間後の予測降雨量（Ａ）（ｍｍ／ｈ）を取得する（図３のステップ１０３）。
【００６１】
ネットワーク監視装置３０は、ステップ１０３で取得した各無線局位置での所定時間後の予測降雨量（Ａ）と、別の保有データとして保有している回線エラーが発生してしまう時の最低降雨量（Ｂ）を比較し（図３のステップ１０４）、ＡがＢ未満である場合には現状の回線ルートＲｃを維持し（図３のステップ１０５）、ＡがＢ以上になる場合には、降雨による影響を回避するための経路選択を行う（図３のステップ１０６）。
【００６２】
ステップ１０６の経路選択においては、１）降雨による影響のない経路、２）目的地までの経路長、３）各ルートの伝送容量などの経路選択要素を考慮して別のルートを決定する。また、経路選択において経路が頻繁に切り替わらないように、経路変更のシーケンスにはヒステリシスを持たせる。このようにして決定された別のルートが図１に示した別の回線ルートＲｄである。
【００６３】
ネットワーク監視装置３０は、降雨による影響のある経路（現状の回線ルートＲｃ）と、上記により選択された経路（別の回線ルートＲｄ）上にある全ての無線局（２１、２２、２３）のマイクロ波無線装置に対して、トラフィックの切り替えを指示する（図３のステップ１０７）。
【００６４】
ネットワーク監視装置３０より指示を受けた無線局（２１、２２、２３）のマイクロ波通信装置は、一斉にトラフィックの切り替えを行い、ネットワーク全体で整合の取れたルーティングが可能となる（図３のステップ１０８）。
【００６５】
次に本発明の別の実施例について述べる。この実施例も特許請求の範囲を限定するものではなく、本発明の一例である。
【００６６】
本発明の別の実施例による回線エラー防止システムでは、現状の回線ルートに予測降雨量により回線エラーが発生すると予測される場合であっても、適応変調（Ａｄａｐｔｉｖｅ  Ｍｏｄｕｌａｔｉｏｎ）機能を採用し、降雨の直前に、現状の回線ルートの各無線局に無線通信の変調方式として現状の変調方式から別変調方式へ変更させることにより、降雨による回線エラーの発生を未然に防ぐ。別変調方式への変更により、伝送容量は小さく絞って安定で切れにくい通信を維持し、ネットワークを最大限活用する。
【００６７】
図５を参照すると、本発明の別の実施例による回線エラー防止システムは、図１の回線エラー防止システムと同様の参照符号で示された同様の構成要素を含む。
【００６８】
即ち、図示の回線エラー防止システムは、気象データサーバ１０及びマイクロ波無線通信ネットワーク２０にインターネット網４０を介して接続されたネットワーク監視装置３０を有する。マイクロ波無線通信ネットワーク２０は、携帯基地局２１及び２２と、複数のマイクロ波中継局２３と、これら複数の無線局（携帯基地局２１及び２２及び複数のマイクロ波中継局２３）のトラフィック管理を行うオペレーションセンター２４とを有する。ネットワーク監視装置３０は、マイクロ波無線通信ネットワーク２０のオペレーションセンター２４にインターネット網４０を介して接続されている。
【００６９】
図６を参照すると、ネットワーク監視装置３０は、プロセッサ１とメモリ２とを備えたコンピュータ端末である。メモリ２は、プロセッサ１が所定の処理を実行するための別のプログラム（別のネットワーク監視装置用プログラム）５’を格納している。メモリ２は、プロセッサ１がプログラム５’を実行する際に一時記憶としても動作するものである。ネットワーク監視装置３０は、更に、キー入部４０と、気象データサーバ１０及びマイクロ波無線通信ネットワーク２０のオペレーションセンター２４とインターネット網４０を介して通信するための通信部３とを備えている。また、ネットワーク監視装置３０は、プロセッサ１により制御される、例えば液晶ディスプレイからなる表示部６も備えている。
【００７０】
プロセッサ１は、メモリ２に格納されたプログラム（ネットワーク監視装置用プログラム）５’に従って、以下の処理を前記所定の処理として実行する。
【００７１】
すなわち、図５及び図６に図７をも加えて参照して、プロセッサ１は、地図上にマイクロ波無線通信ネットワーク２０の複数の無線局（２１、２２、２３）及び現状の回線ルートＲｃがマッピングされたネットワーク図（図５の破線２０で囲まれた部分に相当する）を、既成データとしてメモリ２に記憶させておく処理を実行する（図７のＤＡＴＡ１）。
【００７２】
この際、プロセッサ１は、複数の無線局（２１、２２、２３）及び現状の回線ルートＲｃがマッピングされたネットワーク図を表示部６に表示させておいても良い。
【００７３】
プロセッサ１は、回線エラーが発生してしまう時の最低降雨量を、別の既成データとしてメモリ２に記憶させておく処理を実行する（図７のＤＡＴＡ２）。
【００７４】
この状態で、プロセッサ１は、気象データサーバ１０にアクセスし、地図上に各地の所定時間経過後の予測降雨量がマッピングされた気象予測データ１１を取得する処理を実行する（図７のステップ１００及び１０１）。気象データサーバ１０から取得した気象予測データ１１を図４に示す。
【００７５】
図４に示した気象予測データ１１は、前述したとおり、地図上に所定時間経過の雨雲の情報が記され、各地点（緯度・経度）での単位時間当たりの所定時間経過の降雨量（ｍｍ／ｈ）に関する情報を持っている。
【００７６】
更に、プロセッサ１は、気象予測データ１１を、メモリ２に記憶されているネットワーク図にマッピングし、気象予測データ１１が更にマッピングされたネットワーク図をメモリ２に記憶させる処理を実行する（図７のステップ１０２）。
【００７７】
この際、プロセッサ１は、気象予測データ１１が更にマッピングされたネットワーク図を表示部６に表示させておいても良い。
【００７８】
ここで、プロセッサ１は、メモリ２に記憶されている、気象予測データ１１が更にマッピングされたネットワーク図から、マイクロ波無線通信ネットワークの現状の回線ルートにおける所定時間経過後の予測降雨量を取得する処理を実行する（図７のステップ１０３）。
【００７９】
このようにして、プロセッサ１は、気象データサーバ１０の気象予測データ１１から、マイクロ波無線通信ネットワーク２０の現状の回線ルートＲｃにおける所定時間経過後の予測降雨量を取得する予測降雨量取得処理を実行する（図７のステップ１００〜１０３）。
【００８０】
続いて、プロセッサ１は、現状の回線ルートＲｃにおける所定時間経過後の予測降雨量と同等の降雨量の降雨が実際に現状の回線ルートＲｃにあったとして、該降雨によって現状の回線ルートＲｃに回線エラーＥＲが発生するか否かを予測する予測処理を実行する（図７のステップ１０４）。
【００８１】
この際、プロセッサ１は、現状の回線ルートＲｃにおける所定時間経過後の予測降雨量が、現状の回線ルートＲｃの少なくとも一箇所において、メモリ２に記憶されている最低降雨量以上である時に、現状の回線ルートＲｃに回線エラーが発生すると予測する。
【００８２】
また、プロセッサ１は、現状の回線ルートＲｃにおける所定時間経過後の予測降雨量が、現状の回線ルートＲｃのいずれの箇所においても、メモリ２に記憶されている最低降雨量未満である時に、現状の回線ルートＲｃに回線エラーが発生しないと予測する。
【００８３】
プロセッサ１は、現状の回線ルートＲｃに回線エラーＥＲが発生すると予測された場合、所定時間が経過する前に、現状の回線ルートＲｃを構成する複数の無線局（２１、２２、２３）の無線通新の変調方式として、現状の変調方式から、予測降雨量と同等の降雨量の降雨でも回線エラーを伴うことのない別変調方式（ステップ１０６’）への切り替えを現状の回線ルートを構成する複数の無線局（２１、２２、２３）に指示し（ステップ１０７’）、現状の回線ルートを構成する複数の無線局（２１、２２、２３）に、現状の変調方式から別変調方式への切り替えを行わせる（ステップ１０８’）切り替え指示処理とを実行する。
【００８４】
プロセッサ１は、現状の回線ルートＲｃに回線エラーが発生しないと予測された場合、現状の回線ルートＲｃを構成する複数の無線局（２１、２２、２３）に無線通信の変調方式の切り替えを指示せずに、現状の回線ルートＲｃを構成する複数の無線局（２１、２２、２３）の無線通信の変調方式として、現状の変調方式を維持する処理をも前記所定の処理として実行する（ステップ１０５’）。
【００８５】
このように、別の実施例では、各無線局（２１、２２、２３）のマイクロ波無線通信装置に適応変調（Ａｄａｐｔｉｖｅ  Ｍｏｄｕｌａｔｉｏｎ）機能を採用することによって、予測降雨量で回線品質に影響が出ると判断される場合には、降雨の直前に無線通信の変調方式の切り替えをネットワーク監視装置３０から対象となるリンクの各無線局のマイクロ波無線通信機器に指示する。
【００８６】
上記によって、降雨による回線品質の劣化を未然に防ぐことと、マイクロ波無線通信ネットワーク２０を効率的に活用することが可能となる。
【００８７】
なお、図５、図６、及び図７に示された別の実施例は、図１、図２、及び図３に示された一実施例とは、以下の点（１）及び（２）において異なる。
【００８８】
（１）図５及び図６のネットワーク監視装置３０のプログラム５’が、図１及び図２のネットワーク監視装置３０のプログラム５の代りに用いられていること。
【００８９】
（２）それにより、図７のフローチャートのステップ１０５’、１０６’、１０７’、１０８’が図３のフローチャートのステップ１０５、１０６、１０７、１０８の代りにネットワーク監視装置３０によって実行されること。
【００９０】
図５の回線エラー防止システムの構成要素及び図７のフローチャートのステップ１００〜１０４の動作の詳細は、既に説明された、図１の回線エラー防止システムの構成要素及び図３のフローチャートのステップ１００〜１０４の動作の詳細と同じであるので、これ以上の説明は省略する。
【産業上の利用可能性】
【００９１】
本発明はモバイルネットワークに限定されるものではなく、通信ネットワークの基幹部をなす幹線ルートのマイクロ波通信や放送通信網など、マイクロ波を使用するあらゆる無線通信システムに適用することができる。
【図面の簡単な説明】
【００９２】
【図１】本発明の一実施例による回線エラー防止システムを説明するための図である。
【図２】図１に示された回線エラー防止システムにおけるネットワーク監視装置のブロック図である。
【図３】図２に示されたネットワーク監視装置の動作を説明するためのフローチャートである。
【図４】図２に示されたネットワーク監視装置が気象データサーバから取得した気象予測データを示す図である。
【図５】本発明の別の実施例による回線エラー防止システムを説明するための図である。
【図６】図５に示された回線エラー防止システムにおけるネットワーク監視装置のブロック図である。
【図７】図６に示されたネットワーク監視装置の動作を説明するためのフローチャートである。
【符号の説明】
【００９３】
１    プロセッサ
２    メモリ
３    通信部
４    入力部
５    プログラム（ネットワーク監視装置用プログラム）
５’    プログラム（ネットワーク監視装置用プログラム）
６    表示部
１０    気象データサーバ
１１    気象予測データ
２０    マイクロ波無線通信ネットワーク
２１    携帯基地局（無線局）
２２    携帯基地局（無線局）
２３    マイクロ波中継局（無線局）
２４    オペレーションセンター
３０    ネットワーク監視装置
４０    インターネット網
Ｒｃ    現状の回線ルート
Ｒｄ    別の回線ルート
ＥＲ    回線エラー
【図１】
0005083522.tif 000002
【図２】
0005083522.tif 000003
【図３】
0005083522.tif 000004
【図４】
0005083522.tif 000005
【図５】
0005083522.tif 000006
【図６】
0005083522.tif 000007
【図７】
0005083522.tif 000008